(57)【要約】【課題】  ＩＣカード等の格別な装備を持ち歩く必要がなく、また、従来からのシステムに大きく手を加えることなく、公衆電話端末を利用して電話をかけてくる利用者を特定できるようにする。【解決手段】  携帯電話端末６ａに記憶されている発信者特定情報を送信側の公衆電話端末４ａが読み出し、この発信者特定情報を電話交換機３ａ，３ｃを介して受信側の固定電話５ａに送信して受信側の固定電話５ａの表示手段２９に可視表示させる。電話交換機３ａ，３ｃを通過させて受信側の固定電話５ａに発信者特定情報を送信することができるので、電話交換機３ａ，３ｃや受信側の固定電話５ａに格別の改良を施さなくても、公衆電話端末４ａを利用して電話をかけてくる利用者を容易に特定することができる。【選択図】図２
2008118544.tif 000002
【特許請求の範囲】
【請求項１】
送信側の電話端末と電話交換機と受信側の電話端末と携帯電話端末とからなる発信者特定システムであって、
前記携帯電話端末には、送信側の電話端末の利用者を特定するための発信者特定情報を記憶する発信者特定情報記憶手段と、前記送信側の電話端末に接続するためのインターフェイスを設け、
前記送信側の電話端末には、前記携帯電話端末に接続するためのインターフェイスと、該インターフェイスを介して前記携帯電話端末の発信者特定情報記憶手段から発信者特定情報を読み込むための発信者特定情報読込手段と、前記発信者特定情報読込手段で読み込まれた発信者特定情報を通信先電話番号と共に通信要求として前記電話交換機に送信する通信要求送信手段を設け、
前記受信側の電話端末には、当該受信側の電話端末が着信を許容する利用者の発信者特定情報を記憶する着信許容利用者記憶手段と、前記電話交換機を介して受信した通信要求に含まれる発信者特定情報と一致する発信者特定情報が前記着信許容利用者記憶手段に記憶されているか否かを判定する判定手段と、一致する発信者特定情報が前記着信許容利用者記憶手段に記憶されていると前記判定手段が判定した場合に限り、該発信者特定情報を送信元として表示する送信元表示手段を設けたことを特徴とする発信者特定システム。
【請求項２】
前記携帯電話端末には、当該携帯電話端末の利用者を認証するための認証情報を記憶する認証情報記憶手段と、前記送信側の電話端末からの発信者特定情報の読み込みに際して当該携帯電話端末のダイヤル操作部のコンビネーション操作によって入力される認証情報と前記認証情報記憶手段に記憶されている認証情報とが一致しているか否かを判定する判定手段と、一致する認証情報が前記認証情報記憶手段に記憶されていると前記判定手段が判定した場合に限り、前記送信側の電話端末からの発信者特定情報の読み込みを許容する発信者特定情報保護手段を設けたことを特徴とする請求項１記載の発信者特定システム。
【請求項３】
送信側の電話端末と電話交換機と受信側の電話端末とからなる発信者特定システムであって、
前記送信側の電話端末には、ダイヤル操作部のコンビネーション操作によって情報入力コマンドを生成する情報入力コマンド生成手段と、前記情報入力コマンドに引き続いて前記ダイヤル操作部から入力される数値列を発信者特定情報として認識する発信者特定情報認識手段と、該発信者特定情報認識手段で認識された発信者特定情報を通信先電話番号と共に通信要求として前記電話交換機に送信する通信要求送信手段を設け、
前記受信側の電話端末には、当該受信側の電話端末が着信を許容する利用者の発信者特定情報を記憶する着信許容利用者記憶手段と、前記電話交換機を介して受信した通信要求に含まれる発信者特定情報と一致する発信者特定情報が前記着信許容利用者記憶手段に記憶されているか否かを判定する判定手段と、一致する発信者特定情報が前記着信許容利用者記憶手段に記憶されていると前記判定手段が判定した場合に限り、該発信者特定情報を送信元として表示する送信元表示手段を設けたことを特徴とする発信者特定システム。
【請求項４】
前記着信許容利用者記憶手段には、発信者特定情報と該発信者特定情報に対応するニックネームとが記憶され、
前記送信元表示手段は、前記発信者特定情報もしくはニックネームのうち、予め表示対象として設定されているものを送信元として表示するように構成されていることを特徴とする請求項１，請求項２または請求項３記載の発信者特定システム。
【請求項５】
前記発信者特定情報が前記携帯電話端末の電話番号によって構成されていることを特徴とする請求項１，請求項２，請求項３または請求項４記載の発信者特定システム。
【請求項６】
前記電話交換機には、受信した通信要求に含まれる発信者特定情報に対応して通話料金を課金する課金手段が設けられていることを特徴とする請求項５記載の発信者特定システム。
【請求項７】
送信側の電話端末の利用者を特定するための発信者特定方法であって、
送信側の電話端末の利用者を特定するための発信者特定情報を予め携帯電話端末の記憶手段に記憶させておき、
送信側の電話端末の使用に際し、前記携帯電話端末と送信側の電話端末とを情報伝達可能に接続して前記携帯電話端末の記憶手段に記憶されている発信者特定情報を送信側の電話端末の制御部に読み込ませ、
前記送信側の電話端末の制御部が、読み込んだ発信者特定情報を通信先電話番号と共に通信要求として電話交換機に送信し、
前記電話交換機を介して通信要求を受信した受信側の電話端末の制御部が、着信を許容する利用者の発信者特定情報を予め記憶した記憶手段を検索して前記通信要求に含まれる発信者特定情報と一致する発信者特定情報が記憶されているか否かを判定し、
一致する発信者特定情報が記憶されている場合に限り、該受信側の電話端末の制御部が、前記一致した発信者特定情報を送信元として該受信側の電話端末の表示手段に表示させるようにしたことを特徴とする発信者特定方法。
【請求項８】
前記携帯電話端末の記憶手段に当該携帯電話端末の利用者を認証するための認証情報を予め記憶させておき、
前記送信側の電話端末からの発信者特定情報の読み込みに際し、当該携帯電話端末の制御部が、当該携帯電話端末のダイヤル操作部のコンビネーション操作によって入力される認証情報と当該携帯電話端末の記憶手段に記憶されている認証情報とが一致しているか否かを判定し、
一致する認証情報が記憶されている場合に限り、前記送信側の電話端末からの発信者特定情報の読み込みを許容するようにしたことを特徴とする請求項７記載の発信者特定方法。
【請求項９】
送信側の電話端末の利用者を特定するための発信者特定方法であって、
送信側の電話端末の使用に際し、当該送信側の電話端末のダイヤル操作部から発信者特定情報を入力し、
前記送信側の電話端末の制御部が、前記入力された発信者特定情報を通信先電話番号と共に通信要求として電話交換機に送信し、
前記電話交換機を介して通信要求を受信した受信側の電話端末の制御部が、着信を許容する利用者の発信者特定情報を予め記憶した記憶手段を検索して前記通信要求に含まれる発信者特定情報と一致する発信者特定情報が記憶されているか否かを判定し、
一致する発信者特定情報が記憶されている場合に限り、該受信側の電話端末の制御部が、前記一致した発信者特定情報を送信元として該受信側の電話端末の表示手段に表示させるようにしたことを特徴とする発信者特定方法。
【請求項１０】
前記受信側の電話端末の記憶手段に発信者特定情報と該発信者特定情報に対応するニックネームとを予め記憶させておき、
前記受信側の電話端末の制御部が、前記発信者特定情報もしくはニックネームのうち、予め表示対象として決められたものを送信元として該受信側の電話端末の表示手段に表示させるようにしたことを特徴とする請求項７，請求項８または請求項９記載の発信者特定方法。
【請求項１１】
前記発信者特定情報として前記携帯電話端末の電話番号を利用するようにしたことを特徴とする請求項７，請求項８，請求項９または請求項１０記載の発信者特定方法。
【請求項１２】
前記電話交換機の制御部が、受信した通信要求に含まれる発信者特定情報に対応して通話料金を課金するようにしたことを特徴とする請求項１１記載の発信者特定方法。
【発明の詳細な説明】
【技術分野】
【０００１】
本発明は、公衆電話端末等を送信側の電話端末として利用して電話をかけてくる利用者を特定するための発信者特定システムおよび発信者特定方法に関する。
【背景技術】
【０００２】
現在、携帯電話端末や固定電話端末等を始めとする電話端末の多くにはナンバーディスプレイ等の発信者番号通知機能が実装されている。また、電話帳等と称する記憶手段に着信を許容する利用者の電話番号とニックネームを対応させて記憶させておき、通知された電話番号に対応するニックネームを電話端末の表示手段に表示させたり、更には、予め当該記憶手段に登録されていない発信者番号が検出された場合に着信を自動的に拒否する設定が可能なものもある。この種の電話端末に公衆電話端末から電話をかけると、電話端末の表示手段には、発信者番号が表示されないか、若しくは、単に公衆電話と表示されるのが普通である。
【０００３】
また、携帯電話端末を利用して電話端末に電話をかけた場合、その携帯電話端末の設定が発信者番号の通知を許容する設定になっていれば、受信側の電話端末、例えば、自宅の固定電話端末に発信者番号を表示させることが可能であるが、携帯電話端末から発信するのが不可能な、あるいは、躊躇われる状況も考えられる。例えば、携帯電話端末の電池残量が少ない場合や電波が届かない場所にいる場合、また、死蔵されているテレホンカードを優先的に活用したい場合等である。このような場合、公衆電話端末を利用することになるが、受信側では、勧誘やセールス，悪戯，間違い電話等の迷惑や煩わしさを避けるため、番号を通知してこない発信や電話帳等の記憶手段に予め電話番号を登録されていない着信を拒否したり留守番録音に切り替える等の設定が行なわれていると、例えば、家人からの電話であっても、実質的な通話が拒否されてしまうといった弊害が生じる。
【０００４】
そこで、この種の不都合を改善するための技術として、特許文献１に開示されるように、個人情報を登録したＩＣカードを公衆電話端末に接続し、ＩＣカードから読み込まれた個人情報を受信側の電話端末に送信して表示させるようにした電話装置や、特許文献２に開示されるように、公衆電話端末から利用者が入力したＩＤ番号の真贋を電話網に接続されたサービス制御装置により判定してから受信側の電話端末に送信して表示させるようにした発信者番号通知システム等が既に提案されている。
【０００５】
しかしながら、特許文献１記載の技術ではＩＣカードの携帯を忘れた場合に個人情報の送信が不能となってしまう。また、特許文献２記載の技術では専用のサービス制御装置を電話網に接続して設置するためにシステムの導入に要するコストが増大し、また、サービス制御装置に予めＩＤ番号を登録するといった作業が煩雑となる弊害を生じる。
【０００６】
【特許文献１】特開２００３−１１０６８９号公報
【特許文献２】特開２００２−２６１９３７号公報
【発明の開示】
【発明が解決しようとする課題】
【０００７】
本発明の課題は、前記従来技術の不都合を改善し、ＩＣカード等の格別な装備を持ち歩く必要がなく、また、従来からのシステムに大きく手を加えることなく、公衆電話端末等を送信側の電話端末として利用して電話をかけてくる利用者を特定することのできる発信者特定システムおよび発信者特定方法を提供することにある。
【課題を解決するための手段】
【０００８】
本発明の発信者特定システムは、送信側の電話端末と電話交換機と受信側の電話端末と携帯電話端末とからなる発信者特定システムであって、
前記携帯電話端末には、送信側の電話端末の利用者を特定するための発信者特定情報を記憶する発信者特定情報記憶手段と、前記送信側の電話端末に接続するためのインターフェイスを設け、
前記送信側の電話端末には、前記携帯電話端末に接続するためのインターフェイスと、該インターフェイスを介して前記携帯電話端末の発信者特定情報記憶手段から発信者特定情報を読み込むための発信者特定情報読込手段と、前記発信者特定情報読込手段で読み込まれた発信者特定情報を通信先電話番号と共に通信要求として前記電話交換機に送信する通信要求送信手段を設け、
前記受信側の電話端末には、当該受信側の電話端末が着信を許容する利用者の発信者特定情報を記憶する着信許容利用者記憶手段と、前記電話交換機を介して受信した通信要求に含まれる発信者特定情報と一致する発信者特定情報が前記着信許容利用者記憶手段に記憶されているか否かを判定する判定手段と、一致する発信者特定情報が前記着信許容利用者記憶手段に記憶されていると前記判定手段が判定した場合に限り、該発信者特定情報を送信元として表示する送信元表示手段を設けたことを特徴とする構成を有する。
【０００９】
以上の構成において、公衆電話端末等を送信側の電話端末として利用して電話をかける場合には、まず、利用者は、携帯電話端末および送信側の電話端末の双方のインターフェイスを介して携帯電話端末および送信側の電話端末を情報伝達可能に接続し、送信側の電話端末側の発信者特定情報読込手段によって携帯電話端末の発信者特定情報記憶手段から発信者特定情報を読み込ませる。
インターフェイスとしては、ケーブルやプラグ等からなる有線接続式のものや、ケーブルを介さずに双方の接続端子同士を直接的に接続するプラグイン式のもの、更には、ＩｒＤＡ（Infrared Data Association）あるいはＲＦＩＤ（Radio Frequency Identification）等の技術を適宜に利用することが可能である。
次いで、利用者が送信側の電話端末のダイヤル操作部を操作して通信先電話番号を入力すると、送信側の電話端末の通信要求送信手段が、発信者特定情報読込手段によって読み込まれた発信者特定情報を通信先電話番号と共に通信要求として電話交換機に送信する。発信者特定情報は、ナンバーディスプレイ等の発信者番号通知機能を実現するために従来から利用されているＵＵＩ（User User Information）のフレームに埋め込んで送信することが可能である。
通信要求を受信した送信側の電話交換機は、従来と同様に通信先電話番号に基いて受信側の電話交換機を特定し、受信側の電話交換機に通信先電話番号と発信者特定情報を送信し、これを受けた受信側の電話交換機が、通信先電話番号に対応した受信側の電話端末を起動状態として、この受信側の電話端末に発信者特定情報を送信する。受信側の電話交換機と受信側の電話交換機との通信はモデム信号によって行われるから、発信者特定情報としては、漢字，ひらがな，カタカナ，英数字の利用が可能である。
次いで、この発信者特定情報を受信した受信側の電話端末の判定手段が、当該発信者特定情報と一致する発信者特定情報が当該受信側の電話端末の着信許容利用者記憶手段に記憶されているか否かを判定する。
そして、一致する発信者特定情報が着信許容利用者記憶手段に記憶されていると判定された場合に限り、送信元表示手段が、この発信者特定情報を送信元として可視表示あるいは音声表示する。また、一致する発信者特定情報が着信許容利用者記憶手段に記憶されていない場合には、従来と同様、送信元を非表示とするか、若しくは、単に公衆電話と表示するようにする。
携帯電話端末に記憶されている発信者特定情報を送信側の電話端末が読み出し、この発信者特定情報を電話交換機を介して受信側の電話端末に送信する構成であるから、利用者は使い慣れた携帯電話端末を携帯するだけでよく、ＩＣカード等を始めとする格別な装備を持ち歩く必要はない。しかも、従来からあるＵＵＩフレーム等を利用し、電話交換機を通過させて受信側の電話端末に発信者特定情報を送信することができるので、電話交換機や受信側の電話端末に格別の改良を施したり、更には、専用のサービス制御装置を電話網に接続して設置するといった必要もなく、公衆電話端末等を送信側の電話端末として利用して電話をかけてくる利用者を特定するための発信者特定システムを安価に導入することができる。
【００１０】
また、前記携帯電話端末には、当該携帯電話端末の利用者を認証するための認証情報を記憶する認証情報記憶手段と、前記送信側の電話端末からの発信者特定情報の読み込みに際して当該携帯電話端末のダイヤル操作部のコンビネーション操作によって入力される認証情報と前記認証情報記憶手段に記憶されている認証情報とが一致しているか否かを判定する判定手段と、一致する認証情報が前記認証情報記憶手段に記憶されていると前記判定手段が判定した場合に限り、前記送信側の電話端末からの発信者特定情報の読み込みを許容する発信者特定情報保護手段を設けることが望ましい。
【００１１】
携帯電話端末の利用者を認証するための認証情報を利用して携帯電話端末の利用者の真贋を確認してから送信側の電話端末による発信者特定情報の読み込みを許容する構成であるので、利用者が携帯電話端末を紛失したり携帯電話端末の盗難にあったような場合であっても、第三者が正当な利用者に成りすまして送信側の電話端末から電話をかけるといった不都合を未然に防止することができる。
【００１２】
あるいは、携帯電話端末を除いた送信側の電話端末と電話交換機と受信側の電話端末とからなる発信者特定システムとし、
前記送信側の電話端末に、ダイヤル操作部のコンビネーション操作によって情報入力コマンドを生成する情報入力コマンド生成手段と、前記情報入力コマンドに引き続いて前記ダイヤル操作部から入力される数値列を発信者特定情報として認識する発信者特定情報認識手段と、該発信者特定情報認識手段で認識された発信者特定情報を通信先電話番号と共に通信要求として前記電話交換機に送信する通信要求送信手段を設け、
前記受信側の電話端末には、当該受信側の電話端末が着信を許容する利用者の発信者特定情報を記憶する着信許容利用者記憶手段と、前記電話交換機を介して受信した通信要求に含まれる発信者特定情報と一致する発信者特定情報が前記着信許容利用者記憶手段に記憶されているか否かを判定する判定手段と、一致する発信者特定情報が前記着信許容利用者記憶手段に記憶されていると前記判定手段が判定した場合に限り、該発信者特定情報を送信元として表示する送信元表示手段を設けた構成としてもよい。
【００１３】
このような構成を適用した場合、公衆電話端末等を送信側の電話端末として利用して電話をかける際には、まず、利用者は、予め決められた手順で送信側の電話端末のダイヤル操作部のプッシュボタンあるいはダイヤルをコンビネーション操作する。ダイヤル操作部に対して予め決められた手順でコンビネーション操作が行われると、送信側の電話端末の情報入力コマンド生成手段が当該操作を検知し、この操作を情報入力コマンド、つまり、発信者特定情報を入力するための宣言として解釈する。
そして、利用者が送信側の電話端末のダイヤル操作部のプッシュボタンあるいはダイヤルを操作して数値列を入力すると、送信側の電話端末の発信者特定情報認識手段が、この数値列を発信者特定情報と見做す。
次いで、利用者が送信側の電話端末のダイヤル操作部を操作して通信先電話番号を入力すると、送信側の電話端末の通信要求送信手段が、前述のようにして送信側の電話端末のダイヤル操作部から手動入力された発信者特定情報を通信先電話番号と共に通信要求として電話交換機に送信する。
通信要求を受信した送信側の電話交換機は、従来と同様に通信先電話番号に基いて受信側の電話交換機を特定し、受信側の電話交換機に通信先電話番号と発信者特定情報を送信し、これを受けた受信側の電話交換機が、通信先電話番号に対応した受信側の電話端末を起動状態として、この受信側の電話端末に発信者特定情報を送信する。受信側の電話交換機と受信側の電話交換機との通信はモデム信号によって行われるから、理論上、発信者特定情報として漢字，ひらがな，カタカナ，英数字の利用が可能であるが、この場合は、発信者特定情報の入力手段が送信側の電話端末のダイヤル操作部つまりプッシュボタンやダイヤルに制限されているので、実際に利用が可能なのは専ら数値列である。
次いで、この発信者特定情報を受信した受信側の電話端末の判定手段が、当該発信者特定情報と一致する発信者特定情報が当該受信側の電話端末の着信許容利用者記憶手段に記憶されているか否かを判定する。
そして、一致する発信者特定情報が着信許容利用者記憶手段に記憶されていると判定された場合に限り、送信元表示手段が、この発信者特定情報を送信元として可視表示あるいは音声表示する。また、一致する発信者特定情報が着信許容利用者記憶手段に記憶されていない場合には、従来と同様、送信元を非表示とするか、若しくは、単に公衆電話と表示するようにする。
送信側の電話端末に手動入力された数値列を発信者特定情報として利用する構成であるから、携帯電話端末を家に置き忘れたような場合、あるいは、携帯電話端末の電池が完全に放電しているような場合であっても、受信側の電話端末に確実に発信者特定情報を表示させて送信元を特定させることができる。
【００１４】
また、前記着信許容利用者記憶手段に、発信者特定情報と該発信者特定情報に対応するニックネームとを記憶させ、
前記送信元表示手段によって、発信者特定情報もしくはニックネームのうち、予め表示対象として設定されているものを送信元として表示するように構成してもよい。
【００１５】
発信者特定情報が数値列等によって構成されている場合であっても、これに対応するニックネーム、例えば、個人の氏名等を表示させることで、送信元を容易に特定することができる。
【００１６】
発信者特定情報としては、携帯電話端末の電話番号を利用することが望ましい。
【００１７】
携帯電話端末の電話番号は其の持ち主を特定する情報として広く通用するものであり、また、当該携帯電話の利用者は其の電話番号を十分に熟知しているので、例えば、プッシュボタンやダイヤル等によって構成される送信側の電話端末のダイヤル操作部から発信者特定情報を手動入力するような場合においても、躊躇うことなく確実に発信者特定情報を入力することができる。
【００１８】
更に、電話交換機には、受信した通信要求に含まれる発信者特定情報に対応して通話料金を課金する課金手段を設けることも可能である。
【００１９】
携帯電話端末の電話番号を発信者特定情報として利用する場合には、この発信者特定情報が全国レベルでもユニークな値を取ることになるから、発信者特定情報に基いて通話料金を課金することで、回線使用料の電子的な決済が可能となる。これにより小銭やテレホンカードを携帯する煩わしさが解消される。
【００２０】
本発明の発信者特定方法は、送信側の電話端末の利用者を特定するための発信者特定方法であって、
送信側の電話端末の利用者を特定するための発信者特定情報を予め携帯電話端末の記憶手段に記憶させておき、
送信側の電話端末の使用に際し、前記携帯電話端末と送信側の電話端末とを情報伝達可能に接続して前記携帯電話端末の記憶手段に記憶されている発信者特定情報を送信側の電話端末の制御部に読み込ませ、
前記送信側の電話端末の制御部が、読み込んだ発信者特定情報を通信先電話番号と共に通信要求として電話交換機に送信し、
前記電話交換機を介して通信要求を受信した受信側の電話端末の制御部が、着信を許容する利用者の発信者特定情報を予め記憶した記憶手段を検索して前記通信要求に含まれる発信者特定情報と一致する発信者特定情報が記憶されているか否かを判定し、
一致する発信者特定情報が記憶されている場合に限り、該受信側の電話端末の制御部が、前記一致した発信者特定情報を送信元として該受信側の電話端末の表示手段に表示させるようにしたことを特徴とする構成を有する。
【００２１】
携帯電話端末に記憶されている発信者特定情報を送信側の電話端末が読み出し、この発信者特定情報を電話交換機を介して受信側の電話端末に送信する構成であるから、利用者は使い慣れた携帯電話端末を携帯するだけでよく、ＩＣカード等を始めとする格別な装備を持ち歩く必要はない。しかも、電話交換機を通過させて受信側の電話端末に発信者特定情報を送信することができるので、電話交換機や受信側の電話端末に格別の改良を施したり、更には、専用のサービス制御装置を電話網に接続して設置するといった必要もなく、公衆電話端末等を送信側の電話端末として利用して電話をかけてくる利用者を特定するための発信者特定システムを安価に導入することができる。
【００２２】
また、前記携帯電話端末の記憶手段に当該携帯電話端末の利用者を認証するための認証情報を予め記憶させておき、
前記送信側の電話端末からの発信者特定情報の読み込みに際し、当該携帯電話端末の制御部が、当該携帯電話端末のダイヤル操作部のコンビネーション操作によって入力される認証情報と当該携帯電話端末の記憶手段に記憶されている認証情報とが一致しているか否かを判定し、
一致する認証情報が記憶されている場合に限り、前記送信側の電話端末からの発信者特定情報の読み込みを許容するように構成することが望ましい。
【００２３】
携帯電話端末の利用者を認証するための認証情報を利用して携帯電話端末の利用者の真贋を確認してから送信側の電話端末による発信者特定情報の読み込みを許容する構成であるので、利用者が携帯電話端末を紛失したり携帯電話端末の盗難にあったような場合であっても、第三者が正当な利用者に成りすまして公衆電話端末等を送信側の電話端末として電話をかけるといった不都合を未然に防止することができる。
【００２４】
更には、送信側の電話端末の使用に際し、当該送信側の電話端末のダイヤル操作部から発信者特定情報を入力し、
前記送信側の電話端末の制御部が、前記入力された発信者特定情報を通信先電話番号と共に通信要求として電話交換機に送信し、
前記電話交換機を介して通信要求を受信した受信側の電話端末の制御部が、着信を許容する利用者の発信者特定情報を予め記憶した記憶手段を検索して前記通信要求に含まれる発信者特定情報と一致する発信者特定情報が記憶されているか否かを判定し、
一致する発信者特定情報が記憶されている場合に限り、該受信側の電話端末の制御部が、前記一致した発信者特定情報を送信元として該受信側の電話端末の表示手段に表示させる構成とすることも可能である。
【００２５】
送信側の電話端末に手動入力された数値列を発信者特定情報として利用する構成であるから、携帯電話端末を家に置き忘れたような場合、あるいは、携帯電話端末の電池が完全に放電しているような場合であっても、受信側の電話端末に確実に発信者特定情報を表示させて送信元を特定させることができる。
但し、発信者特定情報が送信側の電話端末のダイヤル操作部つまりプッシュボタンやダイヤルを利用して入力されることから、発信者特定情報として利用可能な値は専ら数値列に制限される。
【００２６】
また、前記受信側の電話端末の記憶手段に発信者特定情報と該発信者特定情報に対応するニックネームとを予め記憶させておき、
前記受信側の電話端末の制御部が、前記発信者特定情報もしくはニックネームのうち、予め表示対象として決められたものを送信元として該受信側の電話端末の表示手段に表示させる構成としてもよい。
【００２７】
発信者特定情報が数値列等によって構成されている場合であっても、これに対応するニックネーム、例えば、個人の氏名等を表示させることで、送信元を容易に特定することができる。
【００２８】
発信者特定情報としては、携帯電話端末の電話番号を利用することが望ましい。
【００２９】
携帯電話端末の電話番号は其の持ち主を特定する情報として広く通用するものであり、また、当該携帯電話の利用者は其の電話番号を十分に熟知しているので、プッシュボタンやダイヤル等によって構成される送信側の電話端末のダイヤル操作部から発信者特定情報を手動入力するような場合においても、躊躇うことなく確実に発信者特定情報を入力することができる。
【００３０】
更には、電話交換機の制御部が、受信した通信要求に含まれる発信者特定情報に対応して通話料金を課金する構成とすることも可能である。
【００３１】
携帯電話端末の電話番号からなる発信者特定情報は全国レベルで見てもユニークな値であるから、この発信者特定情報に基いて通話料金を課金することで、回線使用料の電子的な決済が可能となる。
【発明の効果】
【００３２】
本発明の発信者特定システムおよび発信者特定方法は、携帯電話端末に記憶されている発信者特定情報を送信側の電話端末が読み出し、この発信者特定情報を電話交換機を介して受信側の電話端末に送信して受信側の電話端末に可視表示あるいは音声表示させるようにしているので、利用者は使い慣れた携帯電話端末を携帯するだけでよく、ＩＣカード等を始めとする格別な装備を持ち歩かなくても、この公衆電話からの通話が当該利用者本人であることを受信側の電話端末の利用者に容易に認識させることができる。
【００３３】
しかも、電話交換機を通過させて受信側の電話端末に発信者特定情報を送信することができるので、電話交換機や受信側の電話端末に格別の改良を施したり、更には、専用のサービス制御装置を電話網に接続して設置するといった必要もなく、公衆電話端末等を送信側の電話端末として利用して電話をかけてくる利用者を特定するための発信者特定システムを安価に導入することができる。
【発明を実施するための最良の形態】
【００３４】
次に、本発明を実施するための最良の形態について図面を参照して詳細に説明する。
【実施例１】
【００３５】
図１は本発明を適用した一実施形態の発信者特定システムの構成について示したブロック図である。
【００３６】
この実施形態の発信者特定システム１は、概略において、公衆電話網２に接続された電話交換機３と、電話交換機３に接続されて送信側の電話端末として機能する公衆電話端末４および受信側の電話端末として機能する固定電話５と、最寄の基地局７を介して公衆電話網２と接続可能とされた携帯電話端末６によって構成される。
【００３７】
こでは、説明の都合上、携帯電話端末６のうち公衆電話端末４を利用して電話をかける際に利用者が携帯している携帯電話端末６を特に携帯電話端末６ａと称し、他の携帯電話端末６を携帯電話端末６ｂと称する。また、その際に利用される公衆電話端末４を特に公衆電話端末４ａと称し、この公衆電話端末４ａが接続した電話交換機３つまり送信側の電話交換機３を特に電話交換機３ａと称する一方、公衆電話端末４ａからの通信先となる固定電話５つまり受信側の電話端末として利用される固定電話５を特に固定電話５ａと称すると共に、固定電話５ａが接続した電話交換機３つまり受信側の電話交換機３を特に電話交換機３ｃと称し、他の公衆電話端末４を公衆電話端末４ｂ、他の固定電話を固定電話５ｂ、他の電話交換機３を電話交換機３ｂと称するものとする。
【００３８】
公衆電話端末４ａからの送信は、電話端末として機能する固定電話５ａ，５ｂの他、電話端末として機能する携帯電話端末６ｂによっても受けることが可能であるが、ここでは専ら、固定電話５ａが受信側の電話端末として利用される場合について説明するものとする。
【００３９】
発信者特定システム１を構成するために必要とされる最小限度の構成要素である携帯電話端末６ａ，公衆電話端末４ａ，送信側の電話交換機３ａ，公衆電話網２，受信側の電話交換機３ｃ，電話端末として機能する固定電話５ａのみを取り出して、その接続関係を図２に示す。
【００４０】
公衆電話端末４ａは、図３に示されるように、ＣＰＵ８と該ＣＰＵ８の制御プログラムを格納したＲＯＭ９および各種のデータの記憶に利用されるデータメモリ１０を備え、ＣＰＵ８の入出力回路１１には、プッシュボタンあるいはダイヤル等からなるダイヤル操作部１２やＬＣＤ等からなる表示手段１３が接続され、更には、投入される通話料金を処理するための貨幣処理部１４と各種のテレホンカードを取り扱うためのカード処理部１５およびノーパソコンやＰＤＡ等を接続するためのＰＣ用インターフェイス１７等の公知要素が接続されている。
【００４１】
携帯電話端末６ａとデータ伝達可能に接続するためのインターフェイス１６は、本実施形態の公衆電話端末４ａに固有のもので、例えば、ケーブルやプラグ等を介して携帯電話端末６ａに接続する有線接続式のものや、ケーブルを介さずに携帯電話端末６ａの接続端子と直接的に接続するプラグ、もしくは、ＩｒＤＡ等によって構成される。
【００４２】
マイク１８とスピーカ１９を備えた受話器２０は通話回路２１と入出力回路２２を介して回線制御回路２３に接続され、ＣＰＵ８が回線制御回路２３を制御することで、マイク１８とスピーカ１９を利用した通常の通話、あるいは、ＰＣ用インターフェイス１７に接続されたノーパソコンやＰＤＡ等を利用したデータ通信が行われるようになっている。
【００４３】
公衆電話端末４ａのＣＰＵ８は、インターフェイス１６を介して携帯電話端末６ａから発信者特定情報を読み込むための発信者特定情報読込手段として機能し、更には、読み込んだ発信者特定情報を通信先電話番号と共に通信要求として電話交換機３ａに送信する通信要求送信手段としても機能する。
【００４４】
公衆電話端末４ｂに関しても、其の構造は上述の公衆電話端末４ａと同様である。
【００４５】
電話端末として機能する固定電話５ａの構成は、図４に示す通り、概ね図３で示した公衆電話端末４ａと同等であるが、貨幣処理部やカード処理部は備えていない。
【００４６】
固定電話５ａのデータメモリ２６は着信許容利用者記憶手段として機能し、データメモリ２６の内部には、この固定電話５ａが着信を許容する何人かの利用者の発信者特定情報と各発信者特定情報に対応したニックネームが予め当該固定電話５ａのユーザの手によって何組か登録されている。この実施形態では、発信者特定情報として発信者が携帯する携帯電話端末６ａの電話番号が利用され、また、ニックネームとしては発信者の氏名が利用されている。
【００４７】
固定電話５ａのＣＰＵ２４は、電話交換機３ｃを介して受信した通信要求に含まれる発信者特定情報が、着信許容利用者記憶手段であるデータメモリ２６に記憶されている何れかの発信者特定情報と一致するか否かを判定する判定手段として機能する。また、固定電話５ａの表示手段２９はＬＣＤ等からなり、判定手段による判定結果が一致となった場合に、その発信者特定情報、もしくは、此れに対応するニックネームを送信元として表示する送信元表示手段として機能する。送信元として発信者特定情報を表示するのかニックネームを表示するのかは、予め、当該固定電話５ａのユーザの手によってデータメモリ２６に設定され、不揮発的に記憶されている。
【００４８】
固定電話５ｂに関しても、其の構造は上述の固定電話５ａと同様である。
【００４９】
携帯電話端末６ａは、図５に示されるように、通話用のマイク３７およびスピーカ３８と送受信部３９ならびに表示手段４０を有する。
【００５０】
表示手段４０はＬＣＤ等によって構成され、電話番号の選択表示や着信履歴等の表示、更には、作成過程にあるメールや受信メールの表示等に利用される。
【００５１】
データメモリ部４１には、メールのテキストデータや電子メールアドレスおよび利用者が登録した通信先の情報等のほか、当該携帯電話端末６ａに固有の電話番号や当該携帯電話端末６ａの利用者を認証するための認証情報等が記憶されている。携帯電話端末６ａに固有の電話番号は、既に述べた通り、公衆電話端末４ａの利用者を特定するための発信者特定情報を兼ねている。つまり、この実施形態においては、データメモリ部４１が、発信者特定情報を記憶するための発信者特定情報記憶手段として機能し、また、当該携帯電話端末６ａの利用者を認証するための認証情報を記憶するための認証情報記憶手段としても機能することになる。
【００５２】
更に、データメモリ部４１には、この携帯電話端末６ａが着信を許容する何人かの利用者の発信者特定情報と各発信者特定情報に対応したニックネームが予め当該携帯電話端末６ａのユーザの手によって何組か登録されている。
【００５３】
従来と同様、マイク３７から入力された音声は音声処理部４２でＡ／Ｄ変換されてＣＰＵ４３に転送され、更に、ＣＰＵ４３で通信形式データに変換された後、送受信部３９で変調されて内蔵式もしくは伸縮式のアンテナ４４を介して外部に送信される。
【００５４】
また、アンテナ４４で受信された通信電波は送受信部３９で復調されてＣＰＵ４３に転送され、音声データに変換されてから、音声処理部４２でＤ／Ａ変換等の処理操作を受けてスピーカ３８から音声として出力される。
【００５５】
ダイヤル操作部４５は、電話番号の入力操作等の場合にはテンキーとして使用され、また、電子メールの作成等に際してはテキストデータ入力用のカナキー等として利用される。
【００５６】
ＲＯＭ４６には、通話や電子メールの送受信等に必要とされる処理を実行するための制御プログラムが格納されている。
【００５７】
公衆電話端末４ａとデータ伝達可能に接続するためのインターフェイス４７は、本実施形態の携帯電話端末６ａに固有のもので、例えば、ケーブルやプラグ等を介して公衆電話端末４ａに接続する有線接続式のものや、ケーブルを介さずに公衆電話端末４ａの接続端子と直接的に接続するプラグ、もしくは、ＩｒＤＡ等によって構成される。
【００５８】
携帯電話端末６ａのＣＰＵ４３は、ダイヤル操作部４５のキーのコンビネーション操作によって入力される認証情報とデータメモリ部４１に記憶されている認証情報とが一致しているか否かを判定する判定手段として機能し、更には、判定手段の判定結果が一致となった場合に限ってデータメモリ部４１からの発信者特定情報の読み出しを許容する発信者特定情報保護手段としても機能する。
【００５９】
また、この携帯電話端末６ａが受信側の電話端末として利用される場合においては、ＣＰＵ４３は、最寄の基地局７を介して受信した通信要求に含まれる発信者特定情報が、着信許容利用者記憶手段であるデータメモリ４１に記憶されている何れかの発信者特定情報と一致するか否かを判定する判定手段として機能する。そして、表示手段４０は、判定手段による判定結果が一致となった場合に、その発信者特定情報、もしくは、此れに対応するニックネームを送信元として表示する送信元表示手段として機能する。送信元として発信者特定情報を表示するのかニックネームを表示するのかは、予め、当該携帯電話端末６ａのユーザの手によってデータメモリ４１に設定され、不揮発的に記憶されている。
【００６０】
携帯電話端末６ｂに関しても、其の構造は上述の携帯電話端末６ａと同様である。
【００６１】
図６は公衆電話端末４ａのＣＰＵ８が所定周期毎に繰り返し実行する処理の概略について示したフローチャート、図７は携帯電話端末６ａのＣＰＵ４３が所定周期毎に繰り返し実行する処理の概略について示したフローチャート、図８は送信側の電話交換機３ａが実行する処理の概略について示したフローチャート、図９は受信側の電話交換機３ｃが実行する処理の概略について示したフローチャート、図１０は電話端末として機能する固定電話５ａのＣＰＵ２４が所定周期毎に繰り返し実行する処理の概略について示したフローチャートである。
【００６２】
次に、図６〜図１０を参照して発信者特定情報読込手段および通信要求送信手段として機能する公衆電話端末４ａのＣＰＵ８の処理動作、判定手段および発信者特定情報保護手段として機能する携帯電話端末６ａのＣＰＵ４３の処理動作、判定手段として機能する固定電話５ａのＣＰＵ２４の処理動作、電話交換機３ａ，３ｃの処理動作について具体的に説明する。
【００６３】
携帯電話端末６ａを携帯した利用者が公衆電話端末４ａを使用して電話をかける場合には、まず、利用者は、携帯電話端末６ａのインターフェイス４７と公衆電話端末４ａのインターフェイス１６を介して携帯電話端末６ａおよび公衆電話端末４ａを情報伝達可能に接続する。
【００６４】
次いで、利用者が公衆電話端末４ａの受話器２０を取り上げると、公衆電話端末４ａのＣＰＵ８は図６におけるステップａ１の処理でインターフェイス１６からの信号に基いて当該操作を検知し、公衆電話端末４ａに携帯電話端末６ａが接続されているか否かを判定する（ステップａ２）。
【００６５】
携帯電話端末６ａが接続されていれば、発信者特定情報読込手段として機能するＣＰＵ８が、インターフェイス１６，４７を介して携帯電話端末６ａのＣＰＵ４３に発信者特定情報の送信を要求する（ステップａ３）。
【００６６】
携帯電話端末６ａのＣＰＵ４３は、図７におけるステップｂ１の処理で発信者特定情報の送信要求を検知し、表示手段４０にガイダンスメッセージを表示して利用者に認証情報の入力を求め（ステップｂ２）、利用者が此の要求に応えてダイヤル操作部４５のキーのコンビネーション操作によって認証情報を入力すると此れを一時記憶し（ステップｂ３）、判定手段として機能するＣＰＵ４３が、認証情報記憶手段として機能するデータメモリ部４１に予め登録されている認証情報と今回入力された認証情報との一致不一致を判定する（ステップｂ４。）
そして、両者が一致した場合に限り、発信者特定情報保護手段として機能するＣＰＵ４３が、発信者特定情報記憶手段として機能するデータメモリ部４１から発信者特定情報つまり当該携帯電話端末６ａの電話番号を読み込み（ステップｂ５）、この値をインターフェイス４７，１６を介して公衆電話端末４ａのＣＰＵ８に送信する（ステップｂ６）。
【００６７】
なお、この実施形態では、通話料を現金払いとするか電子決算とするかを携帯電話端末６ａの利用者の意図によって決められるようになっており、現金払い或いは電子決算の課金設定の情報が、この時点で携帯電話端末６ａから公衆電話端末４ａに送信されるようになっている（ステップｂ５，ステップｂ６参照）。
【００６８】
データメモリ部４１に予め登録されている認証情報と今回入力された認証情報とが一致しない場合はステップｂ５，ステップｂ６の処理は非実行とされ、発信者特定情報は公衆電話端末４ａに送信されない。従って、利用者が携帯電話端末６ａを紛失したり携帯電話端末６ａの盗難にあったような場合であっても、第三者が正当な利用者に成りすまして公衆電話端末４ａから当該利用者の発信者特定情報を使用して電話をかけるといった不都合を未然に防止することができる。
【００６９】
公衆電話端末４ａのＣＰＵ８は図６におけるステップａ４の処理で発信者特定情報の入力の有無を判定し、発信者特定情報が入力されていない場合には、通信先の電話番号指定による従来と同様の通信操作のみを許容する（ステップａ９〜ステップａ１０）。この場合、発信者特定情報は受信側の固定電話５ａに送信されないので、この通信要求を受けた固定電話５ａの表示手段２９には、従来と同様に、非表示もしくは公衆電話が送信元として表示されることになる。
【００７０】
一方、発信者特定情報の入力が検知されてステップａ４の判定結果が真となった場合、発信者特定情報読込手段として機能するＣＰＵ８は、携帯電話端末６ａから受信した発信者特定情報と課金設定を読み込んで一時記憶する（ステップａ５）。
【００７１】
次いで、ＣＰＵ８は、利用者がダイヤル操作部２８を操作して入力する通信先電話番号を読み込み（ステップａ６）、通信要求送信手段として機能するＣＰＵ８が、ステップａ５の処理で得られた発信者特定情報と課金情報の設定を、ステップａ６の処理で得られた通信先電話番号と共に、通信要求として送信側の電話交換機３ａに送信する（ステップａ７）。
【００７２】
なお、発信者特定情報や課金情報の設定は、ナンバーディスプレイ等の発信者番号通知機能を実現するために従来から利用されているＵＵＩ（User User Information）のフレームに埋め込んで送信することが可能である。
【００７３】
電話交換機３ａは図８におけるステップｃ１の処理で通信要求を検知し、従来と同様に、通信要求に含まれ通信先電話番号に基いて受信側の電話交換機３ｃを特定し、受信側の電話交換機３ｃに通信先電話番号と発信者特定情報を通信要求として送信した後（ステップｃ２）、公衆電話端末４ａと固定電話５ａとの通信が確立するか、あるいは、公衆電話端末４ａの利用者が受話器２０を置くのを待つ（ステップｃ３，ステップｃ４）。
【００７４】
電話交換機３ａから送信された通信要求は図９におけるステップｄ１の処理で電話交換機３ｃに検知される。この通信要求を検知した電話交換機３ｃは、従来と同様に、通信要求に含まれ通信先電話番号に基いて受信側の固定電話５ａを特定し、受信側の固定電話５ａに起動指令を送信した後（ステップｄ２）、この通信要求に発信者特定情報が含まれているか否かを判定し（ステップｄ３）、発信者特定情報が含まれていれば、この発信者特定情報をモデム信号によって受信側の固定電話５ａに送信してから（ステップｄ４）、通常の接続処理、つまり、固定電話５ａの受話器の取り上げを待って通信を確立する処理を開始する一方（ステップｄ５）、発信者特定情報が含まれていなければ、従来と同様、直ちに通常の接続処理を開始する（ステップｄ５）。
【００７５】
電話交換機３ｃから送信された起動指令は図１０におけるステップｅ１の処理で固定電話５ａのＣＰＵ２４によって検知され、ＣＰＵ２４が固定電話５ａを起動させる（ステップｅ２）。
【００７６】
次いで、固定電話５ａのＣＰＵ２４は、電話交換機３ｃから発信者特定情報が送られてきているか否かを判定し（ステップｅ３）、発信者特定情報が送られてきていなければ、表示手段２９に通常の表示処理、つまり、表示手段２９の非表示を維持するか若しくは表示手段２９に単に公衆電話と表示して送信元を示す表示を行なってから（ステップｅ９）、通常の接続処理、つまり、固定電話５ａの受話器の取り上げを待って通信を確立する処理を開始する（ステップｅ８）。
【００７７】
一方、電話交換機３ｃから発信者特定情報が送られていることが確認されてステップｅ３の判定結果が真となった場合においては、判定手段として機能するＣＰＵ２４が、着信許容利用者記憶手段として機能するデータメモリ２６を検索し（ステップｅ４）、電話交換機３ｃから送信された発信者特定情報と一致する発信者特定情報がデータメモリ２６に既に登録されているか否かを判定する（ステップｅ５）。
【００７８】
ここで、電話交換機３ｃから送信された発信者特定情報と一致する発信者特定情報がデータメモリ２６に既に登録されていれば、ＣＰＵ２４は、この発信者特定情報もしくは当該発信者特定情報に対応するニックネームを着信許容利用者記憶手段として機能するデータメモリ２６から読み出し、送信元表示手段として機能する表示手段２９に表示する（ステップｅ６）。そして、更に、この通信が公衆電話端末からのものであることを表示手段２９に表示してから（ステップｅ７）、通常の接続処理、つまり、固定電話５ａの受話器の取り上げを待って通信を確立する処理を開始する（ステップｅ８）。
【００７９】
電話交換機３ｃから発信者特定情報が送られてきているにも関わらず、この発信者特定情報がデータメモリ２６に登録されていない場合、つまり、ステップｅ５の判定結果が偽となった場合には、発信者特定情報が送られてきていない場合と同様、表示手段２９に通常の表示処理、つまり、表示手段２９の非表示を維持するか若しくは表示手段２９に単に公衆電話と表示して送信元を示す表示を行なってから（ステップｅ９）、通常の接続処理、つまり、固定電話５ａの受話器の取り上げを待って通信を確立する処理を開始する（ステップｅ８）。
【００８０】
このように、固定電話５ａの利用者は、実際に受話器を取り上げて通信を確立させる前の段階で、公衆電話端末４ａを利用して通信を行なっているのが誰であるのかを、其の発信者特定情報もしくはニックネームの表示から容易に識別することができる。
【００８１】
この実施形態では、従来からあるＵＵＩフレーム等を利用し、電話交換機３ａ，３ｃを通過させて受信側の固定電話５ａに発信者特定情報を送信することができるので、電話交換機３ａ，３ｃや受信側の固定電話５ａに格別の改良を施さなくても、公衆電話端末４ａを利用して電話をかけてくる利用者を容易に特定することができる。
【００８２】
そして、固定電話５ａの受話器が取り上げられて公衆電話端末４ａと固定電話５ａとの間の回線が繋がると、図８におけるステップｃ３の処理で電話交換機３ａが通信の確立を検知し、この通信の開始に際してステップｃ１の処理で公衆電話端末４ａから受け取った通信要求に発信者特定情報が含まれていたか否かを判定し（ステップｃ５）、発信者特定情報が含まれていれば、更に、この通信要求に含まれる課金情報の設定が現金払いになっているのか電子決済になっているのかを判定し（ステップｃ６）、電子決済となっている場合に限り、この発信者特定情報に対応して通話料金を課金する処理を実行する（ステップｃ７）。つまり、この実施形態では、電話交換機３ａを制御する図示しないＣＰＵが課金手段として機能することになる。
【００８３】
また、通信要求に発信者特定情報が含まれていない場合、あるいは、通信要求に発信者特定情報が含まれていても課金情報の設定が現金払いになっている場合においては、従来と同様、硬貨やテレホンカードを利用した通常の現金決済が行われる。
【００８４】
最終的に、公衆電話端末４ａもしくは固定電話５ａの受話器が置かれた時点で電話交換機３ａが通信の切断を検知し（ステップｃ８）、課金および通話に関連した一切の処理が終了する。
【実施例２】
【００８５】
次に、携帯電話端末６ａを除いた公衆電話端末４ａと電話交換機３ａ，３ｃおよび電話端末として機能する固定電話５ａによって上記と同等の発信者特定システムを構成した場合の具体例について図１，図２を援用して説明する。
【００８６】
図１１は公衆電話端末４ａのＣＰＵ８が所定周期毎に繰り返し実行する処理の概略について示したフローチャートである。
【００８７】
この実施例では、ダイヤル操作部１２は、プッシュボタンまたはダイヤルのコンビネーション操作によって情報入力コマンドを生成する情報入力コマンド生成手段として機能し、また、ＣＰＵ８は、情報入力コマンドに引き続いてダイヤル操作部１２から入力される数値列を発信者特定情報として認識する発信者特定情報認識手段、および、発信者特定情報認識手段で認識された発信者特定情報を通信先電話番号と共に通信要求として電話交換機３ａに送信する通信要求送信手段として機能することになる。
【００８８】
ここで、公衆電話端末４ａを使用して電話をかけるために利用者が公衆電話端末４ａの受話器２０を取り上げると、公衆電話端末４ａのＣＰＵ８は、図１１におけるステップｆ１の処理で当該操作を検知し、まず、発信者特定情報を利用した通話を行なうのか発信者特定情報を利用しない通常の通話を行なうのかを問うガイダンスメッセージを表示手段１３に表示する（ステップｆ２）。
【００８９】
発信者特定情報を利用する場合には、利用者は、表示手段１３のガイダンスメッセージに沿ってダイヤル操作部１２のプッシュボタンまたはダイヤルをコンビネーション操作する。
【００９０】
この操作はステップｆ３の判定処理でＣＰＵ８によって検知され、情報入力コマンド生成手段として機能するＣＰＵ８が、この操作を情報入力コマンドとして認識する。
【００９１】
ステップｆ３の判定処理で情報入力コマンドが認識されない場合には、通信先の電話番号指定による従来と同様の通信操作のみが許容される（ステップｆ９〜ステップｆ１０）。この場合、発信者特定情報は受信側の固定電話５ａに送信されないので、この通信要求を受けた固定電話５ａの表示手段２９には、従来と同様に、非表示もしくは公衆電話が送信元として表示されることになる。
【００９２】
一方、ステップｆ３の判定処理で情報入力コマンドが認識された場合には、利用者による発信者特定情報の入力が許容される。
【００９３】
次いで、利用者が既に暗記している発信者特定情報、例えば、この利用者が所有している携帯電話端末の電話番号等を、公衆電話端末４ａのダイヤル操作部１２の操作によって入力すると、発信者特定情報認識手段として機能するＣＰＵ８が、この数値列を発信者特定情報認として一時記憶していく（ステップｆ４，ステップｆ５）。
【００９４】
次いで、ＣＰＵ８は、利用者がダイヤル操作部２８を操作して入力する通信先電話番号を読み込み（ステップｆ６）、通信要求送信手段として機能するＣＰＵ８が、ステップｆ４の処理で読み込まれた発信者特定情報を、ステップｆ６の処理で得られた通信先電話番号と共に、通信要求として送信側の電話交換機３ａに送信する（ステップｆ７）。
【００９５】
この後に行われる電話交換機３ａ，電話交換機３ｃ，固定電話５ａ側の処理に関しては、図７，図８，図９，図１０を参照して説明した最初の実施例のものを其のまま援用することができる。
【００９６】
携帯電話端末の電話番号は其の持ち主を特定する情報として広く通用するものであり、また、当該携帯電話端末の利用者は其の電話番号を十分に熟知しているので、プッシュボタンやダイヤル等によって構成される公衆電話端末４ａのダイヤル操作部１２から手動で発信者特定情報を手動入力するような場合においても、躊躇うことなく確実に発信者特定情報を入力することができる。
【００９７】
なお、発信者特定情報としては、本人が所有する携帯電話端末の電話番号に代えて自宅の固定電話番号等を用いることも考えられる。携帯電話端末を所有していない利用者であっても、周知の自宅の固定電話番号があればその番号により発信者を特定させることができるといった点で便利である。
【００９８】
また、公衆電話端末４ａに手動入力された数値列を発信者特定情報として利用する構成であるから、携帯電話端末を家に置き忘れたような場合、あるいは、携帯電話端末の電池が完全に放電しているような場合であっても、受信側の固定電話５ａの表示手段２９に確実に発信者特定情報を表示させて送信元を特定させることができる。
【００９９】
更に、電波や音を禁忌するために携帯電話端末の電源を切らなくてはいけない病院や文化施設等で利用できるといった点でも便利である。
【０１００】
なお、この実施例では利用者が携帯電話端末を携帯しない状態で発信者特定情報を利用した通話を行なうことを前提としているので、発信者特定情報を使用する利用者の真贋の判定について携帯電話端末それ自体の認証機能を使用することはできない。従って、予め、公衆電話網２に接続したデータベースサーバを設置しておき、公衆電話端末４ａとデータベースサーバとの間の情報の送受信によって、公衆電話端末４ａに利用者が入力した認証情報とデータベースサーバに予め登録されている正規の認証情報との比較を行なうといった処理が必要となる。
【０１０１】
以上の実施例では公衆電話端末４ａと固定電話５ａとの間の通話を例にとって説明したが、公衆電話端末４ａからの通話を基地局７経由で電話端末としての携帯電話端末６ｂで受ける際にも同様の処理操作が可能である。既に述べた通り、携帯電話端末６ｂのＣＰＵ４３は、最寄の基地局７を介して受信した通信要求に含まれる発信者特定情報が、着信許容利用者記憶手段であるデータメモリ４１に記憶されている何れかの発信者特定情報と一致するか否かを判定する判定手段として機能し、その表示手段４０は、判定手段による判定結果が一致となった場合に、その発信者特定情報、もしくは、此れに対応するニックネームを送信元として表示する送信元表示手段として機能するからである。
【実施例３】
【０１０２】
前述したシステムを利用してコンピュータ間でデータの転送を行なうようにした実施例について簡単に説明する。
【０１０３】
まず、図１２（ａ）に示されるように、公衆電話端末４ａのＰＣ用インターフェイス１７にコンピュータを接続し、固定電話５ａ側に接続されたコンピュータとの間で、公衆電話網２を利用したデータ転送を行なうことが可能である。公衆電話端末４ａから送信される発信者特定情報が受信側の固定電話５ａのデータメモリ２６に予め登録されていない場合に着信拒否の扱いとする設定を行なうことで、データ転送の安全性が向上する。この例では、利用者が携帯する携帯電話端末６ａに記憶された発信者特定情報を携帯電話端末６ａ側のインターフェイス４７と公衆電話端末４ａのインターフェイス１６を介して公衆電話端末４ａに読み込ませるようにしている。
【０１０４】
また、携帯電話端末６ａもしくは其れに代わる携帯端末６ａをスロットに内蔵するような構造のコンピュータにあっては、図１２（ｂ）に示されるように、コンピュータに内蔵された端末６ａおよび該端末６ａのインターフェイス４７と公衆電話端末４ａ側のインターフェイス１６を介して、このコンピュータを公衆電話端末４ａに接続するといったことも可能である。
【０１０５】
更に、図１２（ｃ）に示されるように、公衆電話端末４ａのＰＣ用インターフェイス１７を介してコンピュータのみを公衆電話端末４ａに接続してもよい。この場合、公衆電話端末４ａのダイヤル操作部１２を利用して手動入力された数値列を発信者特定情報として利用することになる。
【図面の簡単な説明】
【０１０６】
【図１】本発明を適用した一実施形態の発信者特定システムの構成の概略について示したブロック図である。
【図２】発信者特定システムを構成するために必要とされる最小限度の構成要素のみを取り出して接続関係を示した概念図である。
【図３】公衆電話端末の構成の概略を示したブロック図である。
【図４】電話端末として機能する固定電話の構成の概略を示したブロック図である。
【図５】携帯電話端末の構成の概略を示したブロック図である。
【図６】公衆電話端末のＣＰＵが所定周期毎に繰り返し実行する処理の概略について示したフローチャートである。
【図７】携帯電話端末のＣＰＵが所定周期毎に繰り返し実行する処理の概略について示したフローチャートである。
【図８】送信側の電話交換機が実行する処理の概略について示したフローチャートである。
【図９】受信側の電話交換機が実行する処理の概略について示したフローチャートである。
【図１０】電話端末として機能する固定電話のＣＰＵが所定周期毎に繰り返し実行する処理の概略について示したフローチャートである。
【図１１】送信側の電話端末として機能する公衆電話端末のＣＰＵが所定周期毎に繰り返し実行する処理の概略について示したフローチャートである。
【図１２】コンピュータ間でデータの転送を行なうようにした場合の構成について簡略化して示した図で、図１２（ａ）は公衆電話端末のＰＣ用インターフェイスにコンピュータを接続して携帯電話端末側のインターフェイスと公衆電話端末のインターフェイスを介して携帯電話端末に記憶された発信者特定情報を公衆電話端末に読み込ませるようにした例、図１２（ｂ）はコンピュータに内蔵された端末および該端末のインターフェイスと公衆電話端末側のインターフェイスを介してコンピュータを公衆電話端末に接続した例、図１２（ｃ）は公衆電話端末のＰＣ用インターフェイスを介してコンピュータのみを公衆電話端末に接続して公衆電話端末のダイヤル操作部を利用して手動入力された数値列を発信者特定情報として利用するようにした例である。
【符号の説明】
【０１０７】
１  発信者特定システム
２  公衆電話網
３  電話交換機
３ａ  送信側の電話交換機
３ｂ  電話交換機
３ｃ  受信側の電話交換機
４  送信側の電話端末として機能する公衆電話端末
４ａ  携帯電話端末を携帯した利用者によって使用される公衆電話端末
４ｂ  公衆電話端末
５  固定電話
５ａ  受信側の電話端末として機能する固定電話
５ｂ  固定電話
６  携帯電話端末
６ａ  公衆電話端末を利用して電話をかける際に携帯されている携帯電話端末
６ｂ  携帯電話端末
７  基地局
８  ＣＰＵ（発信者特定情報読込手段，通信要求送信手段）
９  ＲＯＭ
１０  データメモリ
１１  入出力回路
１２  ダイヤル操作部
１３  表示手段
１４  貨幣処理部
１５  カード処理部
１６  インターフェイス
１７  ＰＣ用インターフェイス
１８  マイク
１９  スピーカ
２０  受話器
２１  通話回路
２２  入出力回路
２３  回線制御回路
２４  ＣＰＵ（判定手段）
２５  ＲＯＭ
２６  データメモリ（着信許容利用者記憶手段）
２７  入出力回路
２８  ダイヤル操作部
２９  表示手段（送信元表示手段）
３０  ＰＣ用インターフェイス
３１  マイク
３２  スピーカ
３３  受話器
３４  通話回路
３５  入出力回路
３６  回線制御回路
３７  マイク
３８  スピーカ
３９  送受信部
４０  表示手段
４１  データメモリ部（発信者特定情報記憶手段，認証情報記憶手段）
４２  音声処理部
４３  ＣＰＵ（判定手段，発信者特定情報保護手段）
４４  アンテナ
４５  ダイヤル操作部
４６  ＲＯＭ
４７  インターフェイス
【図１】
2008118544.tif 000003
【図２】
2008118544.tif 000004
【図３】
2008118544.tif 000005
【図４】
2008118544.tif 000006
【図５】
2008118544.tif 000007
【図６】
2008118544.tif 000008
【図７】
2008118544.tif 000009
【図８】
2008118544.tif 000010
【図９】
2008118544.tif 000011
【図１０】
2008118544.tif 000012
【図１１】
2008118544.tif 000013
【図１２】
2008118544.tif 000014